(57)【特許請求の範囲】
【請求項１】
ごみ処理施設用の乾燥ゴミの半自動処理装置であって、主体を含み、前記主体の中には洗浄空間が設置され、前記洗浄空間の中には乾燥ゴミを洗浄できる洗浄部品が設置され、前記洗浄部品は、前記洗浄空間の中に回転可能に設置され且つ乾燥ゴミを洗浄できる撹拌盤を含み、前記洗浄空間の中には洗浄後の乾燥ゴミをろ過できる濾過盤がスライド可能に装着され、
前記洗浄空間の右側には粉砕空間が設置され、前記粉砕空間の中には乾燥ゴミを粉砕できる粉砕部品が設置され、前記粉砕部品は前記粉砕空間の中に回転可能に設置された旋転盤を含み、前記粉砕空間において前記旋転盤の下側には昇降盤がスライド可能に装着され、前記旋転盤と前記昇降盤とが互いに回転することで、洗浄部品から送られてきた乾燥ゴミを粉砕でき、前記粉砕空間の下側には伝動空間が設置され、前記伝動空間と前記粉砕空間との間には第一ネジ山棒が回転可能に装着され、前記第一ネジ山棒と前記昇降盤とがネジ山により連結され、前記第一ネジ山棒が回転すると、昇降盤が連動して乾燥ゴミを粉砕するサイズを上下に調節でき、
前記粉砕空間の下側には圧縮空間が設置され、前記粉砕空間と前記圧縮空間とが連通され、前記圧縮空間の中には粉砕後の乾燥ゴミをブロックに圧縮する圧縮部品が設置され、前記圧縮部品は前記圧縮空間の中に水平摺動可能に装着された押圧棒を含み、前記圧縮空間の下側には下方に開口した転落空間が設置され、前記圧縮空間の上壁の中には昇降液圧シリンダが固定的に装着され、前記昇降液圧シリンダのピストンプッシュロッドには上プッシュ板が固定的に装着され、前記圧縮空間の下側には第一復帰空間が設置され、前記第一復帰空間の中には下プッシュ板がスライド可能に装着され、上プッシュ板は前記下プッシュ板の上の乾燥ゴミを下に押し動かすことができ、前記第一復帰空間の左側内壁の中には前記第一復帰空間と連通した押送空間が設置され、前記押送空間の中には第一押し棒がスライド可能に装着され、前記第一押し棒は前記下プッシュ板の上の乾燥ゴミを右へ押し動かして前記転落空間から送り出し、
前記洗浄部品はまた前記洗浄空間の下壁の中に固定的に装着された撹拌モータを含み、前記撹拌モータの上側の出力軸が前記撹拌盤と固定的に装着され、前記濾過盤の下面には連結ブロックが固定的に装着され、前記連結ブロックには連動空間が設置され、前記洗浄空間の両側内壁の中には昇降空間が左右対称に設置され、前記昇降空間の下側内壁の中には昇降モータが左右対称に固定的に装着され、左右の前記昇降モータの上側の出力軸には第二ネジ山棒が左右対称に固定的に装着され、左側の前記第二ネジ山棒は右側の前記第二ネジ山棒より長く、前記第二ネジ山棒には持上げ棒がネジ山により装着され、前記持上げ棒と前記連動空間とがスライド可能に連結され且つ前記持上げ棒は前記連動空間に対して相対的にスライドし、
前記主体の中には揺動空間が設置され、前記揺動空間と前記洗浄空間との間にはリンク空間が連通するように設置され、前記揺動空間の後ろ側内壁の中には押送モータが固定的に装着され、前記押送モータの前側の出力軸には旋転輪が固定的に装着され、前記旋転輪にはリンクが回転可能に装着され、前記リンクが前記リンク空間の中で上下に揺動し、前記リンクの左面にはスライドブロックがヒンジで装着され、前記押送モータを起動して前記旋転輪を回転連動させ、前記旋転輪の回転がリンクを揺動連動させ、前記濾過盤が乾燥ゴミを濾過する時、前記リンクが揺動して前記スライドブロックを前記濾過盤の上で左右にスライド連動させ、前記濾過盤の上の乾燥ゴミが前記粉砕空間の内部まで押し込まれ、
前記洗浄部品はまた前記主体の左側面と前記洗浄空間の下壁との間に連通するように設置された出水管を含み、前記出水管の中には制御バルブが固定的に装着され、前記主体の上側面と前記洗浄空間の上壁との間には連通した進水管が設置され、
前記洗浄空間の上側内壁と前記主体の上面との間にはホッパーが設置され、
前記粉砕部品はまた前記伝動空間の右側内壁と前記主体の右側面との間に回転可能に装着されたハンドルを含み、前記ハンドルの左面には第一傘歯車が固定的に装着され、前記第一ネジ山棒の下面には第二傘歯車が固定的に装着され、前記第二傘歯車と前記第一傘歯車とが噛み合っており、前記粉砕空間の内部の上壁の中には粉砕モータが固定的に装着され、前記旋転盤には乾燥ゴミ穴が設置され、乾燥ゴミは前記乾燥ゴミ穴から落ち込み、前記主体において前記粉砕空間にはスライド空間が左右対称に設置され、前記昇降盤と前記スライド空間とがスライド可能に連結され、
前記圧縮部品はまた前記押送空間の下側に設置された第二復帰空間を含み、前記第二復帰空間の左側内壁の中には電磁石が固定的に装着され、前記第二復帰空間の中には第二押し棒がスライド可能に装着され、前記第二押し棒の左面には永久磁石が固定的に装着され、前記通電磁石と前記永久磁石との間にはばねが設置され、前記下プッシュ板にはフックレバーが固定的に装着され、前記上プッシュ板の底壁と前記第一復帰空間との間には圧縮ばねが設置され、乾燥ゴミが前記圧縮空間の中に落ち入り、前記主体において前記圧縮空間の右側内壁の中には押圧液圧シリンダが固定的に装着され、前記押圧液圧シリンダの出力軸の左面が前記押圧棒の右面と固定的に連結され、前記主体において前記押送空間の左側には押送液圧シリンダが固定的に装着され、前記押送液圧シリンダの出力軸の右面と前記第一押し棒の左面とが固定的に連結され、粉砕された乾燥ゴミが前記圧縮空間の中に落ちると、前記押圧液圧シリンダが起動して前記押圧棒を左に移動連動させて乾燥ゴミを圧縮し、前記昇降液圧シリンダを起動し、前記昇降液圧シリンダが前記上プッシュ板を下に運動連動させ、前記上プッシュ板が乾燥ゴミと前記下プッシュ板を下方に移動連動させ、前記フックレバーが前記第二押し棒を引っ掛けるとき、前記上プッシュ板が元の場所へ戻り、前記押送液圧シリンダが起動し、前記第一押し棒が前記下プッシュ板における乾燥ゴミを前記転落空間まで落とした後、前記第一押し棒を前記押送空間へ戻らせ、前記通電磁石を通電させ、前記通電磁石が前記永久磁石を吸引し、前記永久磁石が前記第二押し棒を左方に移動連動させることで、前記フックレバーが前記第二押し棒を引っ掛けなくなり、前記圧縮ばねが前記下プッシュ板を元の位置まで弾き戻すことを特徴とするごみ処理施設用の乾燥ゴミの半自動処理装置。
【発明の詳細な説明】
【技術分野】
【０００１】
本願発明は日用品分野に関し、具体的にはごみ処理施設用の乾燥ゴミの半自動処理装置に関する。
【背景技術】
【０００２】
現在、ゴミ分類問題は間髪を入れず、その中に、乾燥ゴミは専用空間が大きく、利用率が低く、直接に埋めると分解にくく、細菌を生じて環境を汚染しやすいなどの問題が有り、しかも人口が多いほど乾燥ゴミが生じられ、それだけ大量な乾燥ゴミの処理を人力だけに頼るのは現実にふさわしくない。埋め立て処理による環境汚染が日々ひどくなってくる今、新しいものを発明して、乾燥ゴミの細菌繁殖問題や、分解にくい問題や、占用面積が大きく土壌を汚染するなどの問題を解決する必要がある。
【先行技術文献】
【特許文献】
【０００３】
【特許文献１】中国特許出願公開第１２８３５３１号明細書
【発明の概要】
【発明が解決しようとする課題】
【０００４】
本願発明の目的はごみ処理施設用の乾燥ゴミの半自動処理装置を提供し、現有技術の上記欠点を解決することである。
【課題を解決するための手段】
【０００５】
ごみ処理施設用の乾燥ゴミの半自動処理装置であって、主体を含み、前記主体の中には洗浄空間が設置され、前記洗浄空間の中には乾燥ゴミを洗浄できる洗浄部品が設置され、前記洗浄部品は、前記洗浄空間の中に回転可能に設置され且つ乾燥ゴミを洗浄できる撹拌盤を含み、前記洗浄空間の中には洗浄後の乾燥ゴミをろ過できる濾過盤がスライド可能に装着され、
前記洗浄空間の右側には粉砕空間が設置され、前記粉砕空間の中には乾燥ゴミを粉砕できる粉砕部品が設置され、前記粉砕部品は前記粉砕空間の中に回転可能に設置された旋転盤を含み、前記粉砕空間において前記旋転盤の下側には昇降盤がスライド可能に装着され、前記旋転盤と前記昇降盤とが互いに回転することで、洗浄部品から送られてきた乾燥ゴミを粉砕でき、前記粉砕空間の下側には伝動空間が設置され、前記伝動空間と前記粉砕空間との間には第一ネジ山棒が回転可能に装着され、前記第一ネジ山棒と前記昇降盤とがネジ山により連結され、前記第一ネジ山棒が回転すると、昇降盤が連動して乾燥ゴミを粉砕するサイズを上下に調節でき、
前記粉砕空間の下側には圧縮空間が設置され、前記粉砕空間と前記圧縮空間とが連通され、前記圧縮空間の中には粉砕後の乾燥ゴミをブロックに圧縮する圧縮部品が設置され、前記圧縮部品は前記圧縮空間の中に水平摺動可能に装着された押圧棒を含み、前記圧縮空間の下側には下方に開口した転落空間が設置され、前記圧縮空間の上壁の中には昇降液圧シリンダが固定的に装着され、前記昇降液圧シリンダのピストンプッシュロッドには上プッシュ板が固定的に装着され、前記圧縮空間の下側には第一復帰空間が設置され、前記第一復帰空間の中には下プッシュ板がスライド可能に装着され、上プッシュ板は前記下プッシュ板の上の乾燥ゴミを下に押し動かすことができ、前記第一復帰空間の左側内壁の中には前記第一復帰空間と連通した押送空間が設置され、前記押送空間の中には第一押し棒がスライド可能に装着され、前記第一押し棒は前記下プッシュ板の上の乾燥ゴミを右へ押し動かして前記転落空間から送り出す。
【０００６】
有益的に、前記洗浄部品はまた前記洗浄空間の下壁の中に固定的に装着された撹拌モータを含み、前記撹拌モータの上側の出力軸が前記撹拌盤と固定的に装着され、前記濾過盤の下面には連結ブロックが固定的に装着され、前記連結ブロックには連動空間が設置され、前記洗浄空間の両側内壁の中には昇降空間が左右対称に設置され、前記昇降空間の下側内壁の中には昇降モータが左右対称に固定的に装着され、左右の前記昇降モータの上側の出力軸には第二ネジ山棒が左右対称に固定的に装着され、左側の前記第二ネジ山棒は右側の前記第二ネジ山棒より長く、前記第二ネジ山棒には持上げ棒がネジ山により装着され、前記持上げ棒と前記連動空間とがスライド可能に連結され且つ前記持上げ棒は前記連動空間に対して相対的にスライドする。
【０００７】
前記主体の中には揺動空間が設置され、前記揺動空間と前記洗浄空間との間にはリンク空間が連通するように設置され、前記揺動空間の後ろ側内壁の中には押送モータが固定的に装着され、前記押送モータの前側の出力軸には旋転輪が固定的に装着され、前記旋転輪にはリンクが回転可能に装着され、前記リンクが前記リンク空間の中で上下に揺動し、前記リンクの左面にはスライドブロックがヒンジで装着されている。
【０００８】
前記洗浄部品はまた前記主体の左側面と前記洗浄空間の下壁との間に連通するように設置された出水管を含み、前記出水管の中には制御バルブが固定的に装着され、前記主体の上側面と前記洗浄空間の上壁との間には連通した進水管が設置されている。
【０００９】
前記洗浄空間の上側内壁と前記主体の上面との間にはホッパーが設置されている。
【００１０】
前記粉砕部品はまた前記伝動空間の右側内壁と前記主体の右側面との間に回転可能に装着されたハンドルを含み、前記ハンドルの左面には第一傘歯車が固定的に装着され、前記第一ネジ山棒の下面には第二傘歯車が固定的に装着され、前記第二傘歯車と前記第一傘歯車とが噛み合っており、前記粉砕空間の内部の上壁の中には粉砕モータが固定的に装着され、前記旋転盤には乾燥ゴミ穴が設置され、乾燥ゴミは前記乾燥ゴミ穴から落ち込み、前記主体において前記粉砕空間にはスライド空間が左右対称に設置され、前記昇降盤と前記スライド空間とがスライド可能に連結されている。
【００１１】
前記圧縮部品はまた前記押送空間の下側に設置された第二復帰空間を含み、前記第二復帰空間の左側内壁の中には電磁石が固定的に装着され、前記第二復帰空間の中には第二押し棒がスライド可能に装着され、前記第二押し棒の左面には永久磁石が固定的に装着され、前記通電磁石と前記永久磁石との間にはばねが設置され、前記下プッシュ板にはフックレバーが固定的に装着され、前記上プッシュ板の底壁と前記第一復帰空間との間には圧縮ばねが設置され、乾燥ゴミが前記圧縮空間の中に落ち入り、前記主体において前記圧縮空間の右側内壁の中には押圧液圧シリンダが固定的に装着され、前記押圧液圧シリンダの出力軸の左面が前記押圧棒の右面と固定的に連結され、前記主体において前記押送空間の左側には押送液圧シリンダが固定的に装着され、前記押送液圧シリンダの出力軸の右面と前記第一押し棒の左面とが固定的に連結されている。
【発明の効果】
【００１２】
本願発明の有益効果は：本願発明は水流を変えることで乾燥ゴミを洗浄して、乾燥ゴミに細菌が繁殖する問題を解決でき、しかも持ち上げ面の傾斜度を変えることで乾燥ゴミをろ過し、揺動棒とスライドブロックとに協働して乾燥ゴミを研磨部品に案内し、上下交差の研磨により乾燥ゴミのサイズを小さくし、分解しやすいように研磨された乾燥ゴミが圧縮部品に落ち、ブロックに圧縮され、肥料として使うことができ、宣伝価値がある。
【図面の簡単な説明】
【００１３】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１４】
【図１】図１は本発明のごみ処理施設用の乾燥ゴミの半自動処理装置の全体構成図
【図２】図２は図１におけるＡの局部拡大構成図
【図３】図３は図１におけるＢの局部拡大構成図
【図４】図４は図１におけるＣ―Ｃの断面図
【発明を実施するための形態】
【００１５】
図１〜４の示したように、本願発明のごみ処理施設用の乾燥ゴミの半自動処理装置は、主体６１を含み、前記主体６１の中には洗浄空間１５が設置され、前記洗浄空間１５の中には乾燥ゴミを洗浄できる洗浄部品８０が設置され、前記洗浄部品８０は、前記洗浄空間１５の中に回転可能に設置され且つ乾燥ゴミを洗浄できる撹拌盤１４を含み、前記洗浄空間１５の中には洗浄後の乾燥ゴミをろ過できる濾過盤４３がスライド可能に装着され、
前記洗浄空間１５の右側には粉砕空間２８が設置され、前記粉砕空間２８の中には乾燥ゴミを粉砕できる粉砕部品８１が設置され、前記粉砕部品８１は前記粉砕空間２８の中に回転可能に設置された旋転盤２４を含み、前記粉砕空間２８において前記旋転盤２４の下側には昇降盤２５がスライド可能に装着され、前記旋転盤２４と前記昇降盤２５とが互いに回転することで、洗浄部品８０から送られてきた乾燥ゴミを粉砕でき、前記粉砕空間２８の下側には伝動空間４７が設置され、前記伝動空間４７と前記粉砕空間２８との間には第一ネジ山棒２７が回転可能に装着され、前記第一ネジ山棒２７と前記昇降盤２５とがネジ山により連結され、前記第一ネジ山棒２７が回転すると、昇降盤２５が連動して乾燥ゴミを粉砕するサイズを上下に調節でき、
前記粉砕空間２８の下側には圧縮空間３４が設置され、前記粉砕空間２８と前記圧縮空間３４とが連通され、前記圧縮空間３４の中には粉砕後の乾燥ゴミをブロックに圧縮する圧縮部品８２が設置され、前記圧縮部品８２は前記圧縮空間３４の中に水平摺動可能に装着された押圧棒３５を含み、前記圧縮空間３４の下側には下方に開口した転落空間５６が設置され、前記圧縮空間３４の上壁の中には昇降液圧シリンダ１０が固定的に装着され、前記昇降液圧シリンダ１０のピストンプッシュロッドには上プッシュ板５４が固定的に装着され、前記圧縮空間３４の下側には第一復帰空間５８が設置され、前記第一復帰空間５８の中には下プッシュ板６３がスライド可能に装着され、上プッシュ板５４は前記下プッシュ板６３の上の乾燥ゴミを下に押し動かすことができ、前記第一復帰空間５８の左側内壁の中には前記第一復帰空間５８と連通した押送空間３８が設置され、前記押送空間３８の中には第一押し棒５２がスライド可能に装着され、前記第一押し棒５２は前記下プッシュ板６３の上の乾燥ゴミを右へ押し動かして前記転落空間５６から送り出す。
【００１６】
前記洗浄部品８０はまた前記洗浄空間１５の下壁の中に固定的に装着された撹拌モータ１３を含み、前記撹拌モータ１３の上側の出力軸が前記撹拌盤１４と固定的に装着され、前記濾過盤４３の下面には連結ブロック４６が固定的に装着され、前記連結ブロック４６には連動空間４５が設置され、前記洗浄空間１５の両側内壁の中には昇降空間４２が左右対称に設置され、前記昇降空間４２の下側内壁の中には昇降モータ３９が左右対称に固定的に装着され、左右の前記昇降モータ３９の上側の出力軸には第二ネジ山棒４１が左右対称に固定的に装着され、左側の前記第二ネジ山棒４１は右側の前記第二ネジ山棒４１より長く、前記第二ネジ山棒４１には持上げ棒４０がネジ山により装着され、前記持上げ棒４０と前記連動空間４５とがスライド可能に連結され且つ前記持上げ棒４０は前記連動空間４５に対して相対的にスライドし、前記撹拌モータ１３を起動して前記撹拌盤１４を回転連動させて撹拌を行い、乾燥ゴミの洗浄を強化することができ、左右両側の前記昇降モータ３９を起動することで、前記昇降モータ３９が前記持上げ棒４０を上方に運動させ、従って前記濾過盤４３が上方に運動し、右側の前記持上げ棒４０が前記第二ネジ山棒４１の上側に運動し、左側の前記持上げ棒４０が引き続き上方へ前記第二ネジ山棒４１の上側まで運動し、前記濾過盤４３が傾斜になって乾燥ゴミをろ過する。
【００１７】
前記主体６１の中には揺動空間６２が設置され、前記揺動空間６２と前記洗浄空間１５との間にはリンク空間２２が連通するように設置され、前記揺動空間６２の後ろ側内壁の中には押送モータ３６が固定的に装着され、前記押送モータ３６の前側の出力軸には旋転輪２０が固定的に装着され、前記旋転輪２０にはリンク１８が回転可能に装着され、前記リンク１８が前記リンク空間２２の中で上下に揺動し、前記リンク１８の左面にはスライドブロック１６がヒンジで装着され、前記押送モータ３６を起動して前記旋転輪２０を回転連動させ、前記旋転輪２０の回転が前記リンク１８を揺動連動させ、前記濾過盤４３が乾燥ゴミを濾過する時、前記リンク１８が揺動して前記スライドブロック１６を前記濾過盤４３の上で左右にスライド連動させ、前記濾過盤４３の上の乾燥ゴミが研磨部品の内部まで送られる。
【００１８】
前記洗浄部品はまた前記主体６１の左側面と前記洗浄空間１５の下壁との間に連通するように設置された出水管１１を含み、前記出水管１１の中には制御バルブ１２が固定的に装着され、前記主体６１の上側面と前記洗浄空間１５の上壁との間には連通した進水管２９が設置され、乾燥ゴミを洗浄するための水が前記進水管２９から入り、前記制御バルブ１２を開け、乾燥ゴミを洗浄した後の水が前記出水管１１から流れ出る。
【００１９】
前記洗浄空間１５の上側内壁と前記主体６１の上面との間にはホッパー１７が設置され、処理待ちの乾燥ゴミは前記ホッパー１７から注ぐ。
【００２０】
前記粉砕部品８１はまた前記伝動空間４７の右側内壁と前記主体６１の右側面との間に回転可能に装着されたハンドル３２を含み、前記ハンドル３２の左面には第一傘歯車３１が固定的に装着され、前記第一ネジ山棒２７の下面には第二傘歯車３０が固定的に装着され、前記第二傘歯車３０と前記第一傘歯車３１とが噛み合っており、前記粉砕空間２８の内部の上壁の中には粉砕モータ２１が固定的に装着され、前記旋転盤２４には乾燥ゴミ穴２３が設置され、乾燥ゴミは前記乾燥ゴミ穴２３から落ち込み、前記主体６１において前記粉砕空間２８にはスライド空間２６が左右対称に設置され、前記昇降盤２５と前記スライド空間２６とがスライド可能に連結され、前記粉砕モータ２１を起動することで前記旋転盤２４を回転連動させることができ、前記ハンドル３２を手動で動かし、前記ハンドル３２が回転して前記第一傘歯車３１を回転連動させ、前記第一傘歯車３１の回転が前記第二傘歯車３０を回転連動させ、従って前記第二傘歯車３０が前記第一ネジ山棒２７を回転連動させ、従って前記第一ネジ山棒２７の回転が前記昇降盤２５を前記スライド空間２６の中で上下に移動させ、前記旋転盤２４が回転し、前記昇降盤２５が空間を調整し、互いに協働して乾燥ゴミの粉砕作業を終える。
【００２１】
前記圧縮部品８２はまた前記押送空間３８の下側に設置された第二復帰空間３７を含み、前記第二復帰空間３７の左側内壁の中には電磁石４９が固定的に装着され、前記第二復帰空間３７の中には第二押し棒５９がスライド可能に装着され、前記第二押し棒５９の左面には永久磁石６０が固定的に装着され、前記通電磁石４９と前記永久磁石６０との間にはばね４８が設置され、前記下プッシュ板６３にはフックレバー５３が固定的に装着され、前記上プッシュ板５４の底壁と前記第一復帰空間５８との間には圧縮ばね５７が設置され、乾燥ゴミが前記圧縮空間３４の中に落ち入り、前記主体６１において前記圧縮空間３４の右側内壁の中には押圧液圧シリンダ３３が固定的に装着され、前記押圧液圧シリンダ３３の出力軸の左面が前記押圧棒３５の右面と固定的に連結され、前記主体６１において前記押送空間３８の左側には押送液圧シリンダ５１が固定的に装着され、前記押送液圧シリンダ５１の出力軸の右面と前記第一押し棒５２の左面とが固定的に連結され、粉砕された乾燥ゴミが前記圧縮空間３４の中に落ちると、前記押圧液圧シリンダ３３が起動して押圧棒３５を左に移動連動させて乾燥ゴミを圧縮し、前記昇降液圧シリンダ１０が起動し、前記昇降液圧シリンダ１０が前記上プッシュ板５４を下に運動連動させ、前記上プッシュ板５４が乾燥ゴミと前記下プッシュ板６３を下方に移動連動させ、前記フックレバー５３が前記第二押し棒５９を引っ掛けるとき、前記上プッシュ板５４が元の場所へ戻り、前記押送液圧シリンダ５１が起動し、前記第一押し棒５２が前記下プッシュ板６３における乾燥ゴミを前記転落空間５６まで落とした後、前記第一押し棒５２を前記押送空間３８へ戻らせ、前記通電磁石４９を通電させ、前記通電磁石４９が前記永久磁石６０を吸引し、前記永久磁石６０が前記第二押し棒５９を左方に移動連動させることで、前記フックレバー５３が前記第二押し棒５９を引っ掛けなくなり、前記圧縮ばね５７が前記下プッシュ板６３を元の位置まで弾き戻す。
【００２２】
使用する時：乾燥ゴミがホッパー１７から洗浄空間１５の中に落ち、水が進水管２９から注ぎ入れられ、撹拌モータ１３を起動して撹拌盤１４を回転連動させて撹拌を行い、左右両側の昇降モータ３９を起動することで、昇降モータ３９が持上げ棒４０を上方に運動させ、従って濾過盤４３が上方に運動し、右側の持上げ棒４０が第二ネジ山棒４１の上側に運動し、左側の持上げ棒４０が引き続き上方へ第二ネジ山棒４１の上側まで運動し、濾過盤４３が傾斜になって乾燥ゴミをろ過し、押送モータ３６を起動して旋転輪２０を回転連動させ、旋転輪２０の回転がリンク１８を揺動連動させ、濾過盤４３が乾燥ゴミを濾過する時、リンク１８が揺動してスライドブロック１６を濾過盤４３の上で左右にスライド連動させ、濾過盤４３の上の乾燥ゴミが粉砕空間２８の内部まで押し込まれ、そして、粉砕モータ２１を起動することで旋転盤２４を回転連動させることができ、ハンドル３２を手動で動かし、ハンドル３２が回転して第一傘歯車３１を回転連動させ、第一傘歯車３１の回転が第二傘歯車３０を回転連動させ、従って第二傘歯車３０が第一ネジ山棒２７を回転連動させ、従って第一ネジ山棒２７の回転が昇降盤２５をスライド空間２６の中で上下に移動させ、旋転盤２４が回転し、昇降盤２５が空間を調整し、互いに協働して乾燥ゴミの粉砕作業を終え、粉砕された乾燥ゴミが圧縮空間３４の中に落ちると、押圧液圧シリンダ３３が起動して押圧棒３５を左に移動連動させて乾燥ゴミを圧縮し、昇降液圧シリンダ１０を起動し、昇降液圧シリンダ１０が上プッシュ板５４を下に運動連動させ、上プッシュ板５４が乾燥ゴミと下プッシュ板６３を下方に移動連動させ、フックレバー５３が第二押し棒５９を引っ掛けるとき、上プッシュ板５４が元の場所へ戻り、押送液圧シリンダ５１が起動し、第一押し棒５２が下プッシュ板６３における乾燥ゴミを転落空間５６まで落とした後、第一押し棒５２を押送空間３８へ戻らせ、通電磁石４９を通電させ、通電磁石４９が永久磁石６０を吸引し、永久磁石６０が第二押し棒５９を左方に移動連動させることで、フックレバー５３が第二押し棒５９を引っ掛けなくなり、圧縮ばね５７が下プッシュ板６３を元の位置まで弾き戻して乾燥ゴミの処理作業を終える。
【００２３】
本分野の技術者が明確できるのは、本発明の総体精神や発想から離脱しない場合で、以上の実施例に各種な変形ができ、それらの変形がすべて本発明の保護範囲にある。本発明の保護方案は本発明の権利要求書を標準とすべきである。
【要約】
【課題】本発明はごみ処理施設用の乾燥ゴミの自動処理装置を開示した。
【解決手段】主体を含み、前記主体の中には洗浄空間が設置され、前記洗浄空間の中には乾燥ゴミを洗浄できる洗浄部品が設置され、前記洗浄部品は、前記洗浄空間の中に回転可能に設置され且つ乾燥ゴミを洗浄できる撹拌盤を含み、前記洗浄空間の中には洗浄後の乾燥ゴミをろ過できる濾過盤がスライド可能に装着され、
前記洗浄空間の右側には粉砕空間が設置され、前記粉砕空間の中には乾燥ゴミを粉砕できる粉砕部品が設置され、前記粉砕部品は前記粉砕空間の中に回転可能に設置された旋転盤を含み、前記粉砕空間において前記旋転盤の下側には昇降盤がスライド可能に装着され、前記旋転盤と前記昇降盤とが互いに回転することで、洗浄部品から送られてきた乾燥ゴミを粉砕でき、前記粉砕空間の下側には伝動空間が設置されている。
【選択図】図１【図１】
0006808135.tif 000002
【図２】
0006808135.tif 000003
【図３】
0006808135.tif 000004
【図４】
0006808135.tif 000005